(57)【特許請求の範囲】
【請求項１】
洗剤を投入するための洗剤投入部を有する洗剤ケースと、前記洗剤ケースを引き出し可能に収納する注水装置とを備え、前記注水装置は、前記洗剤ケースを収容した状態で前記洗剤投入部に散水するための複数の穴を有し、前記複数の穴より散水された水が前記洗剤投入部の下面で構成された流水経路上を流れた後、前記注水装置に設けた流水口より洗濯槽内に注水するように構成し、前記洗剤ケースは、前記洗剤投入部の下面上に凸部を設け、流水経路を２つの経路に分断することで、前記流水経路の幅を部分的に狭くするように構成した洗濯機の洗剤投入装置。
【請求項２】
凸部は、略三角形とした請求項１記載の洗濯機の洗剤投入装置。
【発明の詳細な説明】
【０００１】
【発明の属する技術分野】
本発明は、洗濯槽に洗剤を投入する洗濯機の洗剤投入装置に関するものである。
【０００２】
【従来の技術】
従来、この種の洗濯機の洗剤投入装置は図７および図８に示すように構成していた。以下、その構成について説明する。
【０００３】
図に示すように、洗剤ケース１は、洗剤投入部２の下面３を略一定の傾きで傾斜させており、注水装置４に引き出し自在に収納され、注水装置４には、洗剤ケース１の上方に複数の穴５を有する注水部６を設けている。注水部６には給水経路７を通して水道水を給水し、この給水された水は複数の穴５より洗剤ケース１に散水され、注水装置４の流水口８より洗濯槽（図示せず）に注水するように構成している。
【０００４】
上記構成において、洗剤ケース１を引き出して、洗剤投入部２に洗剤９を投入し、洗剤ケース１を注水装置４に収納した状態で、水道水を給水経路７を通して注水部６に給水すると、給水された水は複数の穴５より洗剤投入部２に投入した洗剤９上に散水され、洗剤９は水に溶けて水とともに流し出されて、流水口８より洗濯槽に投入される。
【０００５】
【発明が解決しようとする課題】
このような従来の構成では、水道水圧が低いことなどにより給水経路７からの給水量が少ない場合でも、洗剤ケース１の洗剤投入部２に投入した洗剤９すべて洗濯槽に投入するためには、洗剤ケース１の下面３の傾きを大きくする必要がある。しかし、昨今の洗濯機は、コンパクト化を要求されており、洗剤ケース１の下面３の傾きを大きくとるために洗剤ケース１および注水装置４を大型化することはできないという問題を有していた。
【０００６】
一方、洗濯機の大容量化に伴い、使用する洗剤の量が増加する傾向にあり、多量の洗剤をすべて洗濯槽に投入するためには、多量の給水量を必要とし、さらに、洗剤は、コンパクト化によって粘性が大きくなってきており、コンパクト化した洗剤をすべて洗濯槽に投入するためには、多量の給水量を必要するが、給水経路７からの給水量が少ない場合でも、洗剤ケース１に投入した洗剤９を部分的に残ることなく、すべて洗濯槽に投入することが望まれている。
【０００７】
本発明は上記従来の課題を解決するもので、洗剤ケースでの流水経路を狭くして流下速度をはやめることで、洗剤ケースに投入した洗剤が部分的に残ることなく、投入されるようにすることを目的としている。
【０００８】
【課題を解決するための手段】
本発明は上記目的を達成するために、洗剤を投入するための洗剤投入部を有する洗剤ケースと、前記洗剤ケースを引き出し可能に収納する注水装置とを備え、前記注水装置は、前記洗剤ケースを収容した状態で前記洗剤投入部に散水するための複数の穴を有し、前記複数の穴より散水された水が前記洗剤投入部の下面で構成された流水経路上を流れた後、前記注水装置に設けた流水口より洗濯槽内に注水するように構成し、前記洗剤ケースは、前記洗剤投入部の下面上に凸部を設け、流水経路を２つの経路に分断することで、前記流水経路の幅を部分的に狭くするように構成したものである。
【０００９】
これにより、洗剤ケースでの流水経路を狭くして流下速度をはやめることで、洗剤ケースに投入した洗剤が部分的に残ることなく、投入されるようにすることができる。
【００１０】
【発明の実施の形態】
本発明の請求項１に記載の発明は、洗剤を投入するための洗剤投入部を有する洗剤ケースと、前記洗剤ケースを引き出し可能に収納する注水装置とを備え、前記注水装置は、前記洗剤ケースを収容した状態で前記洗剤投入部に散水するための複数の穴を有し、前記複数の穴より散水された水が前記洗剤投入部の下面で構成された流水経路上を流れた後、前記注水装置に設けた流水口より洗濯槽内に注水するように構成し、前記洗剤ケースは、前記洗剤投入部の下面上に凸部を設け、流水経路を２つの経路に分断することで、前記流水経路の幅を部分的に狭くするように構成したものであり、凸部によって流水経路を分断することで、洗剤ケースの流水経路を狭くできて流下速度をはやめることができ、一気に洗剤を押し流して、洗剤ケースに投入した洗剤が部分的に残ることなく、投入されるようにすることができる。
【００１１】
請求項２に記載の発明は、上記請求項１に記載の発明において、凸部は、略三角形としたものであり、凸部によって流水経路を分断して流下速度をはやめ、一気に洗剤を押し流すとき、洗剤が凸部に付着することがなく、洗剤ケースに投入した洗剤をすべて投入することができる。
【００１２】
【実施例】
以下、本発明の実施例について、図面を参照しながら説明する。なお、従来例と同じ構成のものは同一符号を付して説明を省略する。
【００１３】
（実施例１）
図１および図２に示すように、洗剤ケース１０は、洗剤投入部１１の下面１２を傾きが大きい第１の傾斜面１２ａと、傾きが小さい第２の傾斜面１２ｂとで形成し、注水装置４に引き出し自在に収納している。他の構成は従来例と同じである。
【００１４】
上記構成において、洗剤ケース１０を引き出して、洗剤投入部１１に洗剤９を投入し、洗剤ケース１０を注水装置４に収納した状態で、水道水を給水経路７を通して注水部６に給水すると、給水された水は複数の穴５より洗剤投入部１１に投入した洗剤９上に散水され、洗剤９は水に溶けて水とともに流し出される。
【００１５】
このとき、洗剤ケース１０の洗剤投入部１１の下面１２を洗剤９の溶け残りが発生しやすい部分を傾きが大きい第１の傾斜面１２ａとすることで、水に溶けた洗剤９の流下速度をはやめることができ、洗剤投入部１１の壁面１１ａに洗剤９が残ることなく、水に溶けた洗剤９を水とともに流下させることができる。洗剤９が流下するにしたがい、傾きが小さい第２の傾斜面１２ｂを流下するときも、一気に洗剤を押し流して、洗剤ケース１０に投入した洗剤９を部分的に残ることなく、洗濯槽に投入することができる。
【００１６】
なお、本実施例では、洗剤ケース１０の洗剤投入部１１の下面１２を傾きが大きい第１の傾斜面１２ａと傾きが小さい第２の傾斜面１２ｂとで形成しているが、傾斜面は２段階以上であればよく、また、傾斜が徐々に小さくなる曲面であってもよい。
【００１７】
（実施例２）
図３および図４に示すように、洗剤ケース１３は、洗剤投入部１４の下面１５に流水経路を分断する凸部１６を設けている。他の構成は上記実施例１と同じである。
【００１８】
上記構成において、洗剤ケース１３を引き出して、洗剤投入部１４に洗剤９を投入し、洗剤ケース１３を注水装置４に収納した状態で、水道水を給水経路７を通して注水部６に給水すると、給水された水は複数の穴５より洗剤投入部１４に投入した洗剤９上に散水され、洗剤９は水に溶けて水とともに流し出される。
【００１９】
このとき、凸部１６によって、図３の矢印で示すように、流水経路を分断され、洗剤ケース１３の流水経路を狭くできて流下速度をはやめることができ、一気に洗剤９を押し流して、洗剤ケース１３に投入した洗剤９を部分的に残ることなく、洗濯槽に投入することができる。
【００２０】
（実施例３）
図５および図６に示すように、洗剤ケース１７は、洗剤投入部１８の下面１９に流水経路を分断する略三角形の凸部２０を設けている。他の構成は上記実施例２と同じである。
【００２１】
上記構成において、洗剤ケース１７を引き出して、洗剤投入部１８に洗剤９を投入し、洗剤ケース１７を注水装置４に収納した状態で、水道水を給水経路７を通して注水部６に給水すると、給水された水は複数の穴５より洗剤投入部１４に投入した洗剤９上に散水され、洗剤９は水に溶けて水とともに流し出される。
【００２２】
このとき、略三角形の凸部２０によって、図５の矢印で示すように、流水経路を分断され、洗剤ケース１７の流水経路を狭くできて流下速度をはやめることができ、一気に洗剤９を押し流して、洗濯槽に投入することができる。また、このとき、洗剤９が略三角形の凸部２０に付着することがなく、洗剤ケース１７に投入した洗剤９をすべて投入することができる。
【００２３】
【発明の効果】
以上のように本発明の請求項１に記載の発明によれば、洗剤を投入するための洗剤投入部を有する洗剤ケースと、前記洗剤ケースを引き出し可能に収納する注水装置とを備え、前記注水装置は、前記洗剤ケースを収容した状態で前記洗剤投入部に散水するための複数の穴を有し、前記複数の穴より散水された水が前記洗剤投入部の下面で構成された流水経路上を流れた後、前記注水装置に設けた流水口より洗濯槽内に注水するように構成し、前記洗剤ケースは、前記洗剤投入部の下面上に凸部を設け、流水経路を２つの経路に分断することで、前記流水経路の幅を部分的に狭くするように構成したから、凸部によって流水経路を分断することで、洗剤ケースの流水経路を狭くできて流下速度をはやめることができ、一気に洗剤を押し流して、洗剤ケースに投入した洗剤が部分的に残ることなく、投入されるようにすることができる。
【００２４】
また、請求項２に記載の発明によれば、凸部は、略三角形としたから、凸部によって流水経路を分断して流下速度をはやめ、一気に洗剤を押し流すとき、洗剤が凸部に付着することがなく、洗剤ケースに投入した洗剤をすべて投入することができる。
【図面の簡単な説明】
【図１】  本発明の第１の実施例の洗濯機の洗剤投入装置の一部切欠した斜視図
【図２】  同洗濯機の洗剤投入装置の断面図
【図３】  本発明の第２の実施例の洗濯機の洗剤投入装置の一部切欠した斜視図
【図４】  同洗濯機の洗剤投入装置の断面図
【図５】  本発明の第３の実施例の洗濯機の洗剤投入装置の一部切欠した斜視図
【図６】  同洗濯機の洗剤投入装置の断面図
【図７】  従来の洗濯機の洗剤投入装置の一部切欠した斜視図
【図８】  同洗濯機の洗剤投入装置の断面図
【符号の説明】
４  注水装置
８  流水口
９  洗剤
１０  洗剤ケース
１１  洗剤投入部
１２  下面
【図１】
0003791138.tif 000002
【図２】
0003791138.tif 000003
【図３】
0003791138.tif 000004
【図４】
0003791138.tif 000005
【図５】
0003791138.tif 000006
【図６】
0003791138.tif 000007
【図７】
0003791138.tif 000008
【図８】
0003791138.tif 000009